(57)【要約】【課題】ゴミ箱自体に、持ち込みゴミ等の比較的容量の大きなゴミ類の投入を抑制する機能を備えたゴミ箱を提供すること。【解決手段】容器本体１の前方且つ上部に横長の投入口２を有するゴミ箱１０であって、投入口２を正面視した際、投入口２左右方向におけるほぼ中央に、左右方向に直交する方向に延びる突起部３を形成した。【選択図】図１
0003172748.tif 000002
【実用新案登録請求の範囲】
【請求項１】
容器本体の天部又は前方且つ上部に横長の投入口を有するゴミ箱であって、
該投入口を正面視した際、該投入口の左右方向におけるほぼ中央に、左右方向に直交する方向に延びる突起部を形成したことを特徴とするゴミ箱。
【請求項２】
容器本体の前方且つ上部に横長の投入口を有するゴミ箱であって、該突起部は、上方に起立する上部隙間を形成したものであることを特徴とする請求項１記載のゴミ箱。
【請求項３】
容器本体の前方且つ上部に横長の投入口を有するゴミ箱であって、該突起部は、下方に垂下する下隙間を形成したものであることを特徴とする請求項１記載のゴミ箱。
【請求項４】
容器本体の前方且つ上部に横長の投入口を有するゴミ箱であって、
該投入口は、上部庇部と下部ゴミ導入部と左右両壁部で囲まれており、該突起部は、該下部ゴミ導入部に形成したことを特徴とする請求項１記載のゴミ箱。
【請求項５】
容器本体の前方且つ上部に横長の投入口を有するゴミ箱であって、
該投入口は、上部庇部と下部ゴミ導入部と左右両壁部で囲まれており、該突起部は、該上部庇部に形成したことを特徴とする請求項１記載のゴミ箱。
【請求項６】
該投入口は、略矩形状であることを特徴とする請求項１〜５のいずれか１項に記載のゴミ箱。
【請求項７】
該突起部の高さは、該投入口の高さの１/３〜１/２であることを特徴とする請求項１〜６のいずれか１項に記載のゴミ箱。
【考案の詳細な説明】
【技術分野】
【０００１】
本考案は、やや容積の大きなゴミの投入を阻止する店頭用に好適なゴミ箱に関する。
【背景技術】
【０００２】
コンビニエンスストア等の販売店の店内または外の軒下には、店頭用ゴミ箱が設置されている。このような店頭用ゴミ箱としては、例えば、容器本体の前方且つ上部に横長の投入口を有するボックスタイプのものが挙げられる。店頭用ゴミ箱は、店内で発生した包装紙、雑誌、新聞あるいは弁当の空箱などのゴミ類の廃棄を目的としており、店の外部から持ち込む比較的大きなゴミ類を受け入れることは想定していない。
【０００３】
近年、旅行の途中や帰り、あるは日常の買い物の途中など、販売店に立ち寄る際、店頭用ゴミ箱に想定していない外部からの持ち込みゴミを捨てるという問題がある。このような持ち込みゴミは、比較的大きな容量であるため、店頭用ゴミ箱は直ぐに満杯となる。特に、ゴミ類がゴミ箱からはみ出しているような不衛生な場合には、捨てる者の罪の意識も薄れてゴミ類をゴミ箱の周辺に置いていくことがある。
【考案の概要】
【考案が解決しようとする課題】
【０００４】
店頭用ゴミ箱が持ち込みゴミで満杯となれば、本来の店内から発生するゴミを捨てられなくなるという問題がある。また、持ち込みゴミがゴミ箱周辺に置かれては、不衛生であり、ハエ類が集って販売店の印象も悪くなると共に、ゴミ処理に労力が割かれるという問題がある。従って、店頭用ゴミ箱自体に、持ち込みゴミを拒否する機能があれば、上記の問題を解決できる。しかし、顧客商売とする販売店においては、ゴミ箱と言えども、あからさまな拒否機能は来店の拒否にもつながり、問題を複雑なものにしている。
【０００５】
従って、本考案の目的は、ゴミ箱自体に、持ち込みゴミ等の比較的容量の大きなゴミ類の投入を抑制する機能を備えたゴミ箱を提供することにある。
【課題を解決するための手段】
【０００６】
かかる実情において、本考案者は鋭意検討を行った結果、投入口の左右方向におけるほぼ中央に、上部隙間又は下部隙間を形成してなる突起部を形成すれば、比較的容量の大きなゴミ類の投入を抑制すると共に、店内で発生する雑誌や弁当の空箱などの投入も可能となることなどを見出し、本考案を完成するに至った。
【０００７】
すなわち、本考案は、容器本体の天部又は前方且つ上部に横長の投入口を有するゴミ箱であって、該投入口を正面視した際、該投入口の左右方向におけるほぼ中央に、左右方向に直交する方向に延びる突起部を形成したことを特徴とするゴミ箱を提供するものである。
【考案の効果】
【０００８】
本考案によれば、投入口の左右方向におけるほぼ中央に、投入口の高さを規制する突起を設けたため、持ち込みゴミ等のような比較的容量の大きなゴミ類の投入を抑制できる。また、突起部は投入口の左右を完全に分断するものではなく、突起部の頂部に隙間を有するため、店内で発生する雑誌類など比較的薄くて幅のあるゴミ類の投入も可能となる。また、投入口の左半分または右半分は、高さの制限がないため、弁当の空箱等のような比較的厚くて幅のないゴミ類の投入も可能となる。
【図面の簡単な説明】
【０００９】
【図１】本考案の第１の実施の形態におけるゴミ箱の斜視図である。
【図２】図１のゴミ箱の正面図である。
【図３】本考案の第２の実施の形態におけるゴミ箱の斜視図である。
【図４】図３のゴミ箱の正面図である。
【図５】本考案の第３の実施の形態におけるゴミ箱の斜視図である。
【図６】図５のゴミ箱の正面図である。
【図７】本考案の第４の実施の形態におけるゴミ箱の斜視図である。
【図８】図７のゴミ箱の正面図である。
【図９】本考案の第５の実施の形態におけるゴミ箱の斜視図である。
【図１０】図９のゴミ箱の正面図である。
【図１１】本考案の第６の実施の形態におけるゴミ箱の斜視図である。
【図１２】図１１のゴミ箱の正面図である。
【図１３】本考案の第７の実施の形態におけるゴミ箱の斜視図である。
【考案を実施するための形態】
【００１０】
次に、本考案の第１の実施の形態におけるゴミ箱について図１及び図２を参照して説明する。本考案において、「前後」方向および「左右」方向は、投入口を正面視（正対視）した状態における方向を言う。すなわち、天板に投入口がある場合、上から見た位置が当該正面視である。
【００１１】
ゴミ箱１０は、ボックス状の容器本体１の前方且つ上部に横長の投入口２を有するゴミ箱であって、投入口２を正面視した際、投入口２の左右方向におけるほぼ中央に、左右方向に直交する方向に延びる突起部３を形成したものである。
【００１２】
容器本体１は、前方板１１、後方板１６、右側板１２、左側板１３、底板１４および天板１５で形成されるボックス状であり、中はゴミ類が溜まる空洞部である。中の空洞部には通常、ビニール袋が被せられた小ゴミ箱が収容されている。そして、前方板１１は、開閉自在となっており、ゴミ箱１０の使用時は閉じており、中の小ゴミ箱を取り出す際に開かれる。
【００１３】
投入口２は、天板１５である上部庇部５と、下部ゴミ導入部４と、左右両壁部６、７で囲まれたものであり、投入口２の前方端は、やや上向きの傾斜状となっており、ゴミ類の投入がし易いようになっている。これにより、上部庇部５（天板１５）の奥行き長さは、容器本体１の奥行き長さより小となっている。なお、上部庇部５ｄと、下部ゴミ導入部４ｄと、左右両壁部６ｄ、７ｄで囲まれた部材を容器本体１とは別の部材として作製し、これを容器本体１に組み込んだものであってもよい。
【００１４】
投入口２は、投入口２を正対視した際の形状は、略横長矩形状である。投入口２の縦横比（幅：高さ）は３．５：１〜２．５：１が好ましく、本例では、３：１である。突起部３は、高さｈ２、奥行き長さがゴミ導入部４の奥行き長さと同じの薄板の起立状物である。すなわち、突起部３は、ゴミ導入部４において上方に起立する上部隙間９を形成したものである。これにより、突起部３には、投入口の左右幅を有し、上部隙間（ｈ１−ｈ２）９で形成される投入口スペースを通して新聞紙や雑誌類の投入を容易なものとしている。突起部３の高さｈ２は投入口高さｈ１の１/２〜１/３程度が好適である。突起部３がこのような高さであれば、持ち込みゴミ等のような比較的容量の大きなゴミ類の投入を抑制できる。また、投入口の左側半分や右側半分は、高さの制限がないため、弁当の空箱等の厚みがあっても幅寸法の小さなゴミ類の投入も可能となる。突起部３は、上記形状に限定されず、例えば、正面視において、先細り状で頂部は丸みを帯び、側面視において、後方上り傾斜状で且つ上方にやや凸状であってもよい。
【００１５】
次に、本考案の第２の実施の形態におけるゴミ箱について図３及び図４を参照して説明する。第２の実施の形態例において、第１の実施の形態例と異なる点は、突起部の設置位置と形状である。すなわち、第２の実施の形態例における突起部３ａは、突起部３に比べて、奥行き長さが短く、設置位置がゴミ導入部４の後方である。このようなゴミ箱１０ａにおける投入口２ａは、ゴミ箱１０における投入口２と同様の作用効果を奏する。
【００１６】
次に、本考案の第３の実施の形態におけるゴミ箱について図５及び図６を参照して説明する。第３の実施の形態例において、第１の実施の形態例と異なる点は、突起部の設置位置である。すなわち、第３の実施の形態例における突起部３ｂは、上部庇部５（天板１５）の下面から下方に所定長さ（突起部の高さ）で垂下する下部隙間９ｂを形成したものである。なお、ゴミ箱１０ｂにおいても、突起部３ｂの高さｈ４は投入口高さｈ３の１/２〜１/３程度が好適である。このようなゴミ箱１０ｂにおける投入口２ｂは、突起部３ｂが垂下物であるものの、ゴミ箱１０における投入口２と同様の作用効果を奏する。
【００１７】
次に、本考案の第４の実施の形態におけるゴミ箱について図７及び図８を参照して説明する。第４の実施の形態例において、第１の実施の形態例と異なる点は、容器本体の形状、投入口の形状および突起部の形状である。すなわち、第４の実施の形態例における容器本体１ｃの外観形状は、直方体形状の箱状容器である。すなわち、投入口２ｃは、前方板１１の上部を矩形状にくり抜いたもので、その中央部に、下から上に延びる所定高さの突起部３ｃを形成したものである。すなわち、突起部３ｃは、投入口２ｃを形成する窓枠の下端面から上方に起立し、上部隙間９ｃを形成するものである。なお、ゴミ箱１０ｃにおいも、突起部３ｂの高さは投入口高さの１/２〜１/３程度が好適である。このようなゴミ箱１０ｃにおける投入口２ｃは、その前端面が正面を向いたものであるものの、ゴミ箱１０における投入口２と同様の作用効果を奏する。
【００１８】
次に、本考案の第５の実施の形態におけるゴミ箱について図９及び図１０を参照して説明する。第５の実施の形態例において、第４の実施の形態例と異なる点は、投入口の形状および突起部の形状である。すなわち、第５の実施の形態例における投入口２ｄは、上部庇部５ｄと、下部ゴミ導入部４ｄと、左右両壁部６ｄ、７ｄで囲まれたものであり、また、突起部３ｄは、所定の高さｈ２、奥行き長さがゴミ導入部４ｄの奥行き長さと略同じで、前端部が後方に向けてやや上り傾斜の薄板の起立状物である。なお、上部庇部５ｄは、天板１５であってもよく、また、天板１５とは異なる別途の部材であってもよい。すなわち、上部庇部５ｄと、下部ゴミ導入部４ｄと、左右両壁部６ｄ、７ｄで囲まれた部材を容器本体１とは別の部材として作製し、これを容器本体１に組み込むものであってもよい。すなわち、突起部３ｄは、ゴミ導入部４ｄから上方に起立する上部隙間９ｄを形成したものである。なお、ゴミ箱１０ｄにおいも、突起部３ｄの高さは投入口高さの１/２〜１/３程度が好適である。このようなゴミ箱１０ｄにおける投入口２ｄは、その前端面が正面を向いたものであるものの、ゴミ箱１０における投入口２と同様の作用効果を奏する。
【００１９】
次に、本考案の第６の実施の形態におけるゴミ箱について図１１及び図１２を参照して説明する。第６の実施の形態例において、第５の実施の形態例と異なる点は、突起部の設置位置である。すなわち、第６の実施の形態例における突起部３ｅは、突起部３ｄを上下反転した形状であって、上部庇部５ｅの下面から下方に所定長さ（突起部の高さ）で垂下したものである。なお、ゴミ箱１０ｅにおいも、突起部３ｅの高さは投入口高さの１/２〜１/３程度が好適である。このようなゴミ箱１０ｅにおける投入口２ｅは、その前端面が正面を向いたものであり、且つ突起部３ｅが垂下物であるものの、ゴミ箱１０における投入口２と同様の作用効果を奏する。
【００２０】
次に、本考案の第７の実施の形態におけるゴミ箱について図１３を参照して説明する。図１３中、符号Ｆは正面を示す。第７の実施の形態例において、第６の実施の形態例と異なる点は、投入口の設置位置、突起部の設置位置および形状である。すなわち、第７の実施の形態例における投入口２ｆは、直方体形状の容器本体１の天板１５ｆに形成されたものであり、突起部３ｆは投入口２ｆの左右方向における中央において、後方板から前方へ延び、且つその先端に隙間９ｆを形成するものである。なお、ゴミ箱１０ｆにおいも、突起部３ｆの高さ（前後方向の長さ）は投入口高さ（前後幅）の１/２〜１/３程度が好適である。このようなゴミ箱１０ｆにおける投入口２ｆは、上方を向いたものであり、ゴミ類は上から入れるものの、ゴミ箱１０における投入口２と同様の作用効果を奏する。なお、突起部３ｆは、前方板から後方へ延びるものであってもよい。
【００２１】
なお、本考案のゴミ箱は上記実施の形態例に限定されず、種々の変形例を採ることができる。容器本体１の外観形状は、図１や図７のものに限定されず、例えば、横長テーブルの中に組み込まれ、投入口のみが外観に表われたものであってもよい。
【００２２】
また、本考案において、ゴミ箱において、開閉自在となるものは、前方板に限定されず、後方板、右側板、左側板または天板のいずれであってもよいし、また、扉の開閉ではなく、例えば後方板が省略されたものであり、後方から中の小ゴミ箱の出し入れが自在のものであってもよい。
【００２３】
また、本考案において、投入口の形状としては、第１の実施の形態のような投入口の前端開口がやや上向きとなるものに限定されず、例えばやや下向きとなるものであってもよい。この場合、使用者から見ると、突起部が天板に隠れて見えず、使用者の不快感を和らげるものとなる。また、投入口を形成する上部庇部および下部ゴミ導入部は、上記のような水平面を有する板状物に限定されず、例えば、上方にやや凸の孤形状であってもよい。上部庇部や下部ゴミ導入部が上方にやや凸の孤形状であって、突起部がやや奥側にあるものは、意匠性に優れ、ゴミ投入がし易いものとなる。
【００２４】
本考案において、突起部は投入口の左右方向における中央に限定されず、少し左側や少し右側であってもよい。投入口の左右方向における幅寸法がＷの場合、突起部が左側に片寄る場合では、突起部の位置は、投入口の左端からＷ/４からＷ/２、好適にはＷ/３からＷ/２の適宜の位置でよく、突起部が右側に片寄る場合では、突起部の位置は、投入口の右端からＷ/４からＷ/２、好適にはＷ/３からＷ/２の適宜の位置でよい。このように、突起部が少し片寄った位置にあるものは、中央位置に設置するものに比べて、一方の側は幅がやや広く採れるため、少し幅が大きな弁当箱などのような大きなゴミ類の投入が容易となる。
【００２５】
本考案において、投入口において、突起部で区画される左側投入口および右側投入口の使用方法に制限はなく、容積の大きな持ち込みゴミ類の投入を規制するだけのものでもよく、また、例えば一方の投入口側をビン、カン類のゴミ箱とし、他方の投入口側をプラスティック類のゴミ箱とするような分別用のゴミ箱であってもよい。分別用ゴミ箱の場合、ゴミ箱内には、２つの小ゴミ箱を設置することになる。分別用ゴミ箱においても、大きな容積、すなわち何本かをまとめたゴミの投入を規制することができる。
【符号の説明】
【００２６】
１      容器本体
２、２ａ〜２ｆ      投入口
３、３ａ〜３ｆ      突起部
４、４ａ〜４ｅ      ゴミ導入部
５、５ｄ        上部庇部  
６、７    左右壁部
９      隙間
１０、１０ａ〜１０ｆ      ゴミ箱      
【図１】
0003172748.tif 000003
【図２】
0003172748.tif 000004
【図３】
0003172748.tif 000005
【図４】
0003172748.tif 000006
【図５】
0003172748.tif 000007
【図６】
0003172748.tif 000008
【図７】
0003172748.tif 000009
【図８】
0003172748.tif 000010
【図９】
0003172748.tif 000011
【図１０】
0003172748.tif 000012
【図１１】
0003172748.tif 000013
【図１２】
0003172748.tif 000014
【図１３】
0003172748.tif 000015